(57)【要約】【課題】  払い出された賞球を確実に上側球貯留部材内に供給できる遊技機を提供する。【解決手段】  払出停留部５４は、前側壁面部６６と、第１の樋板５１の下端縁部に連接されて後球出口５６の内方側側端縁部５６Ａに対して所定距離寸法を形成するように内側方向まで少し前下がり状に傾斜して立設される天井壁板５７と、該天井壁板５７の内側端縁部に連接されて後球出口５６の下端縁部とほぼ同じ高さまで下方に立設される奥側側壁部５８と、該奥側側壁部５８の下端部に連接されて後球出口５６の下端縁部に沿って該後球出口５６の外方側側端縁部５６Ｂまで前下り状に傾斜すると共に、後球出口５６側方向に前下り状に傾斜するように立設される底壁板５９と、この底壁板５９の外側端縁部に連接された状態で、略垂直上方向で第２の樋板５２の端縁部に連接されるように立設される外側側壁部６０と、賞球通路カバー部材４９の裏面とから構成されている。  【選択図】  図６
2005040388.tif 000002
【特許請求の範囲】
【請求項１】
遊技機の前面側に突出して設けられて、払い出される賞球を受ける上側球貯留部材と、
前記上側球貯留部材の下側に配置される下側球貯留部材と、
賞球を払い出す賞球払出手段と、
遊技機の裏面側に配設される機構セット部材と、を備え、
前記機構セット部材は、前記賞球払出手段から払い出される賞球を下方に案内するように設けられる第１賞球誘導通路部と、
前記第１賞球誘導通路部の流出側端縁部に左右側壁部のいずれか一側の側壁部が対向するように設けられる略箱体状の払出停留部と、
前記払出停留部から溢れた賞球を前記下側球貯留部材に案内するように設けられる第２賞球誘導通路部と、を有し、
前記払出停留部は、前側壁面部に穿設されて前記上側球貯留部材の賞球入口部に連通する第１貫通孔と、
前記一側の側壁部に穿設されて前記第１賞球誘導通路部の流出側端縁部に連通する第２貫通孔と、
該一側の側壁部の前記第２貫通孔よりも遊技機の裏面側方向の位置に所定幅寸法で、該一側の側壁部の下端縁部より所定高さ上側の位置から上方向に所定高さ寸法切り欠かれて形成され、前記第２賞球誘導通路部の賞球流入部に連通する第３貫通孔と、が設けられていることを特徴とする遊技機。
【請求項２】
遊技機の前面側に突出して設けられて、払い出される賞球を受ける上側球貯留部材と、
前記上側球貯留部材の下側に配置される下側球貯留部材と、
賞球を払い出す賞球払出手段と、
遊技機の裏面側に配設される機構セット部材と、を備え、
前記機構セット部材は、前記賞球払出手段から払い出される賞球を下方に案内するように設けられる第１賞球誘導通路部と、
前記第１賞球誘導通路部の流出側端縁部に左右側壁部のいずれか一側の側壁部が対向するように設けられる略箱体状の払出停留部と、
前記払出停留部から溢れた賞球を前記下側球貯留部材に案内するように設けられる第２賞球誘導通路部と、を有し、
前記払出停留部は、前側壁面部に穿設されて前記上側球貯留部材の賞球入口部に連通する第１貫通孔と、
前記一側の側壁部に穿設されて前記第１賞球誘導通路部の流出側端縁部に連通する第２貫通孔と、
底面部の後側端縁部から左右方向の全幅に渡って遊技機の前面側方向に所定幅寸法切り欠かれて形成される第４貫通孔と、
前記第４貫通孔の遊技機の前面側方向の前側端縁部の左右方向の全幅に渡って所定高さ上方向に立設されるリブ部と、
前記第４貫通孔と前記第２賞球誘導通路部とを連通して溢れた賞球を案内する第３賞球誘導通路部と、が設けられ、
前記払出停留部の第４貫通孔は、前記第２貫通孔よりも遊技機の裏面側方向の所定位置に形成されていることを特徴とする遊技機。
【請求項３】
前記払出停留部の他側の側壁部は、内側面の前側側端縁部が前記第１貫通孔より所定寸法左右方向外側の位置に設けられていることを特徴とする請求項１又は請求項２に記載の遊技機。
【請求項４】
前記所定寸法は、少なくとも遊技球の半径寸法以上であることを特徴とする請求項３に記載の遊技機。
【請求項５】
前記払出停留部は、底面部が前記第２貫通孔側方向に低くなるように傾斜し、
前記第１貫通孔の該第２貫通孔側の側端縁部は、該払出停留部の左右側壁部のうち前記一側の側壁部にほぼ対向する位置に設けられていることを特徴とする請求項１乃至請求項４のいずれかに記載の遊技機。
【発明の詳細な説明】
【技術分野】
【０００１】
本発明は、遊技機の裏側に配設される機構セット部材に、賞球払出手段から払い出された賞球を上側球貯留部材に案内すると共に、該賞球を上側球貯留部材と協働して所定量貯留することが可能な略箱体状の払出停留部が設けられた遊技機に関するものである。
【背景技術】
【０００２】
従来より、遊技機の裏側に配設される機構セット部材に、賞球払出手段から払い出された賞球を上側球貯留部材に案内すると共に、該賞球を上側球貯留部材と協働して所定量貯留することが可能な略箱体状の払出停留部が設けられた遊技機に関し種々提案されている。
【０００３】
例えば、成形器体を合成樹脂製の裏枠に組付けることにより、成形器体には賞品球誘導通路が区画されて形成され、この賞品球誘導通路の上誘導通路を通り抜けた賞球群は、ベルに衝突してＵターン状に方向転換し、該成形器体の内側面に立設される第３の樋板によって外方側の斜め下方へ誘導されて、該成形器体の内側面に立設される第６の樋板上へ転落し、さらに、この第６の樋板によって前方へ誘導されて後賞品球口及び前賞品球口を経て上皿（上側球貯留部材）内へ放出される。また、賞球が第６の樋板上に充満すると、オーバーフローした賞球は該成形器体の内側面に立設される第５の樋板によって下方へ誘導されてから内方側の斜め下方および下方へ方向転換し、さらに下壁板によって前方へ誘導され、賞品球誘導通路の下誘導路および第２球出口を通り抜けて下皿（下側球貯留部材）へ放出されるパチンコ機がある（例えば、特許文献１参照。）。
これにより、賞球群が成形器体内を方向転換しながら通り抜けるので、賞球群が成形器体に加える衝撃力を賞球が方向転換する毎に緩和することができ、成形器体が賞球群によって受ける衝撃作用を軽減して成形器体を過大な衝撃作用から防護することができる。
【０００４】
ここで、従来の上記パチンコ機を構成する成形器体は、後記の特許文献１の図５及び図９に記載の成形器体７０に相当する。また、該パチンコ機を構成する裏枠は、後記特許文献１の図５に記載の裏枠４０に相当する。また、該パチンコ機を構成する、上誘導通路、ベル、第３の樋板、第６の樋板、後賞品球口、前賞品球口、第５の樋板、下壁板、下誘導路、第２球出口は、後記特許文献１の図８及び図９に記載の上誘導通路８０ａ、ベル８９、第３の樋７２ｃ、第６の樋板７２ｆ、後賞品球口５７、前賞品球口２０、第５の樋板７２ｅ、下壁板７１ｃ、下誘導路８０ｂ、第２球出口７７Ｂに相当する。
【特許文献１】特開平７−３２８２０５号公報（段落（００６０）〜（００６２）、図４、図５、図８、図９）
【発明の開示】
【発明が解決しようとする課題】
【０００５】
しかしながら、上述した遊技機では、賞球が第６の樋板上に充満していない状態で、第３の樋板から第６の樋板上に落下した賞球が外壁板で跳ね返った場合には、外壁板による反発力が強いため、この第６の樋板の側端縁部を飛び越えて第５の樋板上に落下して、下方へ誘導され下皿に排出されることがある。この場合には、遊技者は遊技中であるにも拘わらず、下皿から賞球を拾って上皿に戻さなくてはならないため煩わしく、引いては遊技に集中できず興趣を失わせるという問題がある。また、上皿内のパチンコ球が少ない場合には、払い出された賞球が円滑に供給されないため、一時的な球切れ状態が発生して入賞チャンスを逃す虞があるという問題がある。
【０００６】
そこで、本発明は、上述した問題点を解決するためになされたものであり、払出停留部に賞球が充満していない場合に、この払出停留部に落下した賞球が奥側側壁部で跳ね返っても払出停留部内に留まり、払い出された賞球を確実に上側球貯留部材内に供給できる遊技機を提供することを目的とする。
【課題を解決するための手段】
【０００７】
前記目的を達成するため請求項１に係る遊技機は、遊技機の前面側に突出して設けられて、払い出される賞球を受ける上側球貯留部材と、前記上側球貯留部材の下側に配置される下側球貯留部材と、賞球を払い出す賞球払出手段と、遊技機の裏面側に配設される機構セット部材と、を備え、前記機構セット部材は、前記賞球払出手段から払い出される賞球を下方に案内するように設けられる第１賞球誘導通路部と、前記第１賞球誘導通路部の流出側端縁部に左右側壁部のいずれか一側の側壁部が対向するように設けられる略箱体状の払出停留部と、前記払出停留部から溢れた賞球を前記下側球貯留部材に案内するように設けられる第２賞球誘導通路部と、を有し、前記払出停留部は、前側壁面部に穿設されて前記上側球貯留部材の賞球入口部に連通する第１貫通孔と、前記一側の側壁部に穿設されて前記第１賞球誘導通路部の流出側端縁部に連通する第２貫通孔と、該一側の側壁部の前記第２貫通孔よりも遊技機の裏面側方向の位置に所定幅寸法で、該一側の側壁部の下端縁部より所定高さ上側の位置から上方向に所定高さ寸法切り欠かれて形成され、前記第２賞球誘導通路部の賞球流入部に連通する第３貫通孔と、が設けられていることを特徴とする。
【０００８】
このような特徴を有する請求項１に係る遊技機においては、賞球払出手段から払い出された賞球は、第１賞球誘導通路部を経て、略箱体状に形成される払出停留部の左右側壁部のいずれか一側の側壁部に穿設される第２貫通孔から該払出停留部内に落下する。そして、この払出停留部の底面部で跳ね返って、さらに左右側壁部のうち他側の側壁部で跳ね返る等して、再度、左右側壁部のうち一側の側壁部の第２貫通孔の下側部分に当たった賞球は、その後、該払出停留部の前側壁面部に穿設された第１貫通孔を経て、上側球貯留部材内に放出される。また、この払出停留部に賞球が充満した場合には、更に払い出される賞球は、該一側の側壁部の第２貫通孔よりも遊技機の裏面側方向の位置に所定幅寸法で、該一側の側壁部の下端縁部より所定高さ上側の位置から上方向に所定高さ寸法切り欠かれて形成される第３貫通孔から第２賞球誘導通路部の賞球流入部に流入し、下側球貯留部材内に案内される。
【０００９】
また、請求項２に係る遊技機は、遊技機の前面側に突出して設けられて、払い出される賞球を受ける上側球貯留部材と、前記上側球貯留部材の下側に配置される下側球貯留部材と、賞球を払い出す賞球払出手段と、遊技機の裏面側に配設される機構セット部材と、を備え、前記機構セット部材は、前記賞球払出手段から払い出される賞球を下方に案内するように設けられる第１賞球誘導通路部と、前記第１賞球誘導通路部の流出側端縁部に左右側壁部のいずれか一側の側壁部が対向するように設けられる略箱体状の払出停留部と、前記払出停留部から溢れた賞球を前記下側球貯留部材に案内するように設けられる第２賞球誘導通路部と、を有し、前記払出停留部は、前側壁面部に穿設されて前記上側球貯留部材の賞球入口部に連通する第１貫通孔と、前記一側の側壁部に穿設されて前記第１賞球誘導通路部の流出側端縁部に連通する第２貫通孔と、底面部の後側端縁部から左右方向の全幅に渡って遊技機の前面側方向に所定幅寸法切り欠かれて形成される第４貫通孔と、前記第４貫通孔の遊技機の前面側方向の前側端縁部の左右方向の全幅に渡って所定高さ上方向に立設されるリブ部と、前記第４貫通孔と前記第２賞球誘導通路部とを連通して溢れた賞球を案内する第３賞球誘導通路部と、が設けられ、前記払出停留部の第４貫通孔は、前記第２貫通孔よりも遊技機の裏面側方向の所定位置に形成されていることを特徴とする。
【００１０】
このような特徴を有する請求項２に係る遊技機では、賞球払出手段から払い出された賞球は、第１賞球誘導通路部を経て、略箱体状に形成される払出停留部の左右側壁部のいずれか一側の側壁部に穿設される第２貫通孔から該払出停留部内に落下する。そして、この払出停留部の底面部で跳ね返って、さらに左右側壁部のうち他側の側壁部で跳ね返る等して、再度、左右側壁部のうち一側の側壁部の第２貫通孔の下側部分に当たった賞球は、その後、該払出停留部の前側壁面部に穿設された第１貫通孔を経て、上側球貯留部材内に放出される。また、この払出停留部に賞球が充満した場合には、更に払い出される賞球は、底面部の後側端縁部に左右方向の全幅に渡って所定高さ上方向に立設されるリブ部を越えて、該底面部の後側端縁部の左右方向の全幅に渡って切り欠かれて形成される第４貫通孔内に落下して、第３賞球誘導通路部を経て第２賞球誘導通路部に流入し、下側球貯留部材内に案内される。
【００１１】
また、請求項３に係る遊技機は、請求項１又は請求項２に記載の遊技機において、前記払出停留部の他側の側壁部は、内側面の前側側端縁部が前記第１貫通孔より所定寸法左右方向外側の位置に設けられていることを特徴とする。
【００１２】
このような特徴を有する請求項３に係る遊技機では、賞球払出手段から払い出された賞球は、第１賞球誘導通路部を経て、略箱体状に形成される払出停留部の左右側壁部のいずれか一側の側壁部に穿設される第２貫通孔から該払出停留部内に落下する。そして、この払出停留部の底面部で跳ね返って、さらに左右側壁部のうち他側の側壁部で跳ね返る等した賞球は、この他側の側壁部が、第１貫通孔の左右側端縁部のうち第２貫通孔側とは反対側の側端縁部より所定寸法左右方向外側の位置に設けられているため、該他側の側壁部に当たる衝撃力を弱められると共に、この他側の側壁部から第２貫通孔までの距離が遠くなり、この跳ね返った賞球は、確実に払出停留部内に落下し、再度、左右側壁部のうち一側の側壁部の第２貫通孔の下側部分に当たる等して、その後、該払出停留部の前側壁面部に穿設された第１貫通孔を経て、上側球貯留部材内に放出される。
【００１３】
また、請求項４に係る遊技機は、請求項３に記載の遊技機において、前記所定寸法は、少なくとも遊技球の半径寸法以上であることを特徴とする。
【００１４】
このような特徴を有する請求項４に係る遊技機では、払出停留部の他側の側壁部（奥側の側壁部）の内側面の前側側端縁部は、第１貫通孔の左右側端縁部のうち前記第２貫通孔側とは反対側の側端縁部より少なくとも遊技球の半径寸法以上、左右方向外側の位置に設けられているため、この払出停留部の底面部で跳ね返った後、該他側の側壁部の内側面で再度跳ね返って、払出停留部の底面部に落下する賞球の移動可能距離は、遊技球の直径寸法以上になる。
【００１５】
更に、請求項５に係る遊技機は、請求項１乃至請求項４のいずれかに記載の遊技機において、前記払出停留部は、底面部が前記第２貫通孔側方向に低くなるように傾斜し、前記第１貫通孔の該第２貫通孔側の側端縁部は、該払出停留部の左右側壁部のうち前記一側の側壁部にほぼ対向する位置に設けられていることを特徴とする。
【００１６】
このような特徴を有する請求項５に係る遊技機では、払出停留部は、底面部が第２貫通孔側方向に低くなるように傾斜し、第１貫通孔の該第２貫通孔側の側端縁部は、該払出停留部の左右側壁部のうち一側の側壁部にほぼ対向する位置に設けられている。
【発明の効果】
【００１７】
請求項１に係る遊技機では、払出停留部内に賞球が充満していない場合には、第１賞球誘導通路部の流出側端縁部から第２貫通孔を経て該払出停留部に落下した賞球が奥側の側壁部で跳ね返っても、再度、左右側壁部のうち一側の側壁部の第２貫通孔の下側部分に当たって払出停留部内に留まり、払い出された賞球を確実に上側球貯留部材内に供給することができるため、遊技者の遊技への集中を妨げることがなく、興趣を維持することが可能な遊技機を提供することができる。また、上側球貯留部材内の遊技球が少ない場合にも、払い出された賞球を該上側球貯留部材に円滑に供給することができ、入賞チャンスを確実に獲得することが可能な遊技機を提供することができる。一方、払出停留部に賞球が充満した場合には、左右側壁部のうち一側の側壁部の第２貫通孔よりも後側に切り欠かれて形成される第３貫通孔から溢れた賞球は、第２賞球誘導通路部を経て下側球貯留部材に放出されるため、払出停留部での球詰まりを防止して遊技の中断を確実に防止でき、遊技者の遊技への集中を妨げることがなく、興趣を維持することが可能な遊技機を提供することができる。
【００１８】
また、請求項２に係る遊技機では、払出停留部内に賞球が充満していない場合には、第１賞球誘導通路部の流出側端縁部から第２貫通孔を経て該払出停留部に落下した賞球が奥側の側壁部で跳ね返っても、再度、左右側壁部のうち一側の側壁部の第２貫通孔の下側部分に当たって払出停留部内に留まり、払い出された賞球を確実に上側球貯留部材内に供給することができるため、遊技者の遊技への集中を妨げることがなく、興趣を維持することが可能な遊技機を提供することができる。また、上側球貯留部材内の遊技球が少ない場合にも、払い出された賞球を該上側球貯留部材に円滑に供給することができ、入賞チャンスを確実に獲得することが可能な遊技機を提供することができる。一方、払出停留部に賞球が充満した場合には、更に払い出される賞球は、底面部の後側端縁部に左右方向の全幅に渡って所定高さ上方向に立設されるリブ部を越えて、該底面部の後側端縁部の左右方向の全幅に渡って切り欠かれて形成される第４貫通孔内に落下して、第３賞球誘導通路部を経て第２賞球誘導通路部に流入し、該第２賞球誘導通路部を経て下側球貯留部材に放出されるため、払出停留部での球詰まりを防止して遊技の中断を確実に防止でき、遊技者の遊技への集中を妨げることがなく、興趣を維持することが可能な遊技機を提供することができる。
【００１９】
また、請求項３に係る遊技機では、払出停留部内に落下して、この払出停留部の底面部で跳ね返って、さらに他側の側壁部で跳ね返って、第２貫通孔側に落下する賞球の移動可能距離は、確実に所定寸法の２倍以上延長されるため、この跳ね返ってきた賞球が一側の側壁部に当たる衝撃力を確実に弱めることができ、払い出された賞球を迅速に上側球貯留部材内に供給することができ、遊技者の遊技への集中を妨げることがなく、興趣を維持することが可能な遊技機を提供することができる。また、上側球貯留部材内の遊技球が少ない場合において、払い出された賞球を該上側球貯留部材に迅速に供給することができ、入賞チャンスを確実に獲得することが可能な遊技機を提供することができる。
【００２０】
また、請求項４に係る遊技機では、払出停留部内に落下して、この払出停留部の底面部で跳ね返って、さらに他側の側壁部で跳ね返って、第２貫通孔側に落下する賞球の移動可能距離は、確実に遊技球の直径寸法以上延長されるため、この跳ね返ってきた賞球が一側の側壁部に当たる衝撃力を更に弱めることができ、払い出された賞球をより迅速に上側球貯留部材内に供給することができ、遊技者の遊技への集中を妨げることがなく、興趣を維持することが可能な遊技機を提供することができる。また、上側球貯留部材内の遊技球が少ない場合において、払い出された賞球を該上側球貯留部材により迅速に供給することができ、入賞チャンスを確実に獲得することが可能な遊技機を提供することができる。
【００２１】
更に、請求項５に係る遊技機では、払出停留部の底面部にある賞球は、この底面部を該払出停留部の左右側壁部のうち一側の側壁部側に転動後、この一側の側壁部に沿って転動して確実に第１貫通孔に流入するため、第１賞球誘導通路部の流出側端縁部から払出停留部内に落下した賞球を確実に上側球貯留部材に供給することができる遊技機を提供することができる。
【発明を実施するための最良の形態】
【００２２】
以下、本発明に係る遊技機をパチンコ機について具体化した第１実施形態及び第２実施形態を図面を参照して詳細に説明する。
【実施例１】
【００２３】
先ず、第１実施形態に係るパチンコ機の概略構成について図１及び図２に基づき説明する。
図１及び図２に示すように、第１実施形態に係るパチンコ機は、所定量のパチンコ球を賞球として払い出す、いわゆる第１種パチンコ機で、一般にＣＲ機（カードリーディング機）と称され、パチンコ機１とカード式球貸機３５とによって構成され、これらは対をなして設置される。パチンコ機１は、木製の外枠２に対して木製の内枠３が、内枠取付用ヒンジを構成する上ヒンジ４及び下ヒンジ５を介して外枠２に対して開閉自在に取り付けられている。そして、この内枠３のほぼ上半分の前側には、合成樹脂製の前面カバー部材７が左端縁部の上下を軸支されて開閉自在に取付けられている。また、この前面カバー部材７のほぼ中央部には略円形の窓部（不図示）が開設され、この窓部の外周縁部に形成されるガラス保持枠に装着された２枚のガラスを通して遊技領域を見ることができるように構成されている。また、前面カバー部材７の窓部の上側及び両肩部には、フルカラーの発光ダイオード（ＬＥＤ）が内蔵され、「当たり」等の発生を報知したり遊技中に光演出や遊技中のエラーを表示する電飾ランプ８が取付けられている。
【００２４】
また、この前面カバー部材７の下側には、パチンコ球の払い出しを調節する払い出しステッピングモータ等が内装された賞球ケース１０を介して払い出される賞球を受ける上皿１１が合成樹脂製プレート１２に配設されている。また、このプレート１２は、左端縁部の上下を軸支されて、前面カバー部材７を開放後、内側に設けられた不図示のレバーを下げることにより開放できるように取付けられている。また、この上皿１１の中央前面部には、カード式球貸機３５の操作ボタン及びカード残高表示装置（不図示）が設けられている。そして、その上皿１１の下には、下皿１４が配設される。また、上皿１１に連通する不図示の球送り機構を介して上皿１１のパチンコ球が操作ハンドル１５に連結された発射装置１６へ送られるよう構成されている。
【００２５】
また、この内枠３のほぼ中央部には不図示の遊技盤が着脱自在なように鉄板等の金属製の機構盤１８に取り付けられている。そして、この機構盤１８の裏側には合成樹脂製の機構セット盤２０が開閉自在に蝶番により取り付けられている。
また、パチンコ機１の裏側の背面上方部には、上方に開口した賞球タンク２１が機構セット盤２０に固定されている。賞球タンク２１の直上には補給装置２２が配設され、吐出部２２Ａが垂直に降りている。賞球タンク２１は、傾斜した底面に不図示の連通孔が形成され、その連通孔の下方にはパチンコ球を２列に整列流出し、賞球ケース１０にパチンコ球を送る通路を形成するタンクレール２３が取付けられている。
【００２６】
また、賞球ケース１０へパチンコ球を案内する賞球案内部２４内には、タンクレール２３の下流側のパチンコ球を送る２列の賞球通路が形成されている。
また、賞球ケース１０内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球ケース１０等により賞球及び貸球の払い出しシステムが構成されている。
そして、賞球ケース１０の下流側には、後述のように賞球を上皿１１に案内する賞球案内通路部４１や、賞球タンク２１やタンクレール２３内のパチンコ球を抜くための球抜き通路部４２などが形成されている（図４参照）。また、該賞球ケース１０の下方には、上皿１１から溢れて賞球案内通路部４１を流れた賞球を下部受皿ボックス２８まで案内する下皿排出路２７が形成されている（図４参照）。この下皿排出路２７の下端出口近傍の内壁面には、下皿オーバーフロースイッチ２７Ａが内装されると共に、該下皿排出路２７の下端部には賞球を受けて下皿１４に案内する下部受皿ボックス２８が内枠３の裏側に取り付けられている。また、この下皿排出路２７の横側（図１中、左側）には、入賞球を排出する入賞球排出通路部２６が形成されている（図４参照）。
【００２７】
また、タンクレール２３の下側には液晶表示装置（ＬＣＤ）等をカバーする合成樹脂製のセンターカバー３０が取付けられている。そして、このセンターカバー３０の背面部内側には、ＬＣＤ等を駆動制御する表示制御基板３０Ａ、スピーカ等を駆動制御する音制御基板３０Ｂ、及び電飾ランプ８等を駆動制御するランプ制御基板３０Ｃが取り付けられている。また、センターカバー３０の下側には、パチンコ機１の遊技動作を制御する主基板が内蔵される基板ケース３１が配設されている。また、この基板ケース３１の右下には電源基板が内蔵される電源基板ケース３２が配設されている。また、この電源基板ケース３２の上方に配設されるインタフェース基板３３とカード式球貸機３５の背面のコネクタ３６とは、接続コード３７により相互に接続されている。
さらに、機構セット盤２０の上方角部（図１中、右上角部）には、中継基板３９が設けられている。この中継基板３９は、パチンコ機１とホールコンピュータをつなぐ基板である。
【００２８】
次に、機構セット盤２０の概略構成について図３乃至図８に基づいて説明する。
図３及び図４に示すように、機構セット盤２０は、機構盤１８に取り付けられた不図示の遊技盤の裏面に対向する部分に略四角形の開口部２０Ａが開設されている。また、開口部２０Ａの左側の背面部には、センターカバー３０を取り付けるための各取付ボス２５が裏側方向に立設され、この各取付ボス２５にはネジ孔が形成されている。
また、開口部２０Ａの上側の背面部には、左右方向にほぼ等間隔で断面略Ｌ字形の各係合爪Ｓが裏側方向に立設されている。また、開口部２０Ａの左右方向略中央部の上側の背面部には、取付ボス４５が立設され、この取付ボス４５にはネジ孔が形成されている。そして、タンクレール２３は、下端縁部が各係合爪Ｓによって支持されると共に、上端縁部の略中央部が取付ボス４５にネジ止めされて取り付けられている。
【００２９】
また、取付ボス４５の左右斜め上側の背面部には、各取付ボス４６が上下方向に２個ずつ裏側方向に立設され、この各取付ボス４６にはネジ孔が形成されている。そして、賞球タンク２１は、左右端縁部が各取付ボス４６にネジ止めされて取り付けられている。また、機構セット盤２０の上方角部（図４中、右上角部）には、正面視略横長四角形のリブ部４７が立設され、このリブ部４７上に中継基板３９が配設される。
また、開口部２０Ａの右側背面部には、各取付ボス４８が裏側方向に立設され、この各取付ボス４８にはネジ孔が形成されている。そして、各取付ボス４８を介して賞球案内部２４や賞球ケース１０が取り付けられると共に、賞球案内通路部４１及び球抜き通路部４２を覆い、該賞球案内通路部４１及び球抜き通路部４２と協働して賞球が流れる通路を形成する賞球通路カバー部材４９がネジ止めされて取り付けられている。
【００３０】
また、図５乃至図８に示すように、賞球案内通路部４１は、賞球ケース１０の球出口から下方に連接されて、パチンコ球の直径寸法よりも少し大きい間隔で上部が正面視略垂直状で中央部及び下部が正面視略Ｓ字状に立設される第１の樋板５１と第２の樋板５２とから構成される第１賞球誘導通路部５３と、この第１賞球誘導通路部５３の流出側端縁部５３Ａに貫通孔６１を介して連通する正面視略四角形の略箱体状の払出停留部５４と、この払出停留部５４の第１賞球誘導通路部５３側の外側側壁部６０の後側側端縁部に形成される賞球排出口６２に連通されて、内方へ前下り状に傾斜して設けられて下皿排出路２７に連接される第２賞球誘導通路部５５と、から構成されている。
【００３１】
この払出停留部５４は、第１の樋板５１の下端縁部に連接されると共に、該第１の樋板５１の前後方向幅寸法（図７中、左右方向幅寸法）と同じ前後方向幅寸法（図７中、左右方向幅寸法）で、前側壁面部６６に正面視略四角形（第１実施形態では、縦寸法約２３ｍｍ、横寸法約５０ｍｍ〜７０ｍｍの略四角形である。）に穿設されて上皿１１の賞球入口部に連通する後球出口５６の内方側側端縁部５６Ａに対して所定距離寸法（第１実施形態では、パチンコ球の半径寸法以上の距離寸法である。望ましくは、パチンコ球の直径の約１．５〜２倍以上の距離寸法で、一般にパチンコ球の直径寸法は約１１ｍｍであることから、約１６．５ｍｍ〜２２ｍｍ以上の距離寸法が望ましい。）を形成するように内側方向まで少し前下がり状に傾斜して立設される天井壁板５７から構成されている。また、該天井壁板５７の内方側端縁部に連接されて、該天井壁板５７の前後方向幅寸法（図７中、左右方向幅寸法）の約２倍の幅寸法で後球出口５６の下端縁部とほぼ同じ高さまで下方に立設される奥側側壁部５８から構成されている。また、この奥側側壁部５８の後側上方角部は、天井壁板５７の後側端縁部から流出側端縁部５３Ａの第２の樋板５２の端縁部に対向する高さまで略四角形状に切り欠かれる切欠部５８Ａが形成されている。
【００３２】
また、この奥側側壁部５８の下端縁部に連接された状態で、後球出口５６の下端縁部に沿って該後球出口５６の外方側側端縁部５６Ｂまで前下り状に傾斜すると共に、後球出口５６側方向（図６中、紙面に垂直裏側方向）に前下り状に傾斜するように立設される底壁板５９から構成されている。更に、この底壁板５９の外側端縁部に連接された状態で、略垂直上方向（図６中、上方向）で流出側端縁部５３Ａの第２の樋板５２の端縁部に連接されるように立設される外側側壁部６０から構成されている。また、この外側側壁部６０の後側上方角部は、流出側端縁部５３Ａの第２の樋板５２の下端縁部から後球出口５６の上下方向の略中央部（第１実施形態では、底壁板５９の表面部からパチンコ球の直径寸法にほぼ等しい、約１１ｍｍの高さ寸法の位置である。）まで略四角形状に切り欠かれる切欠部６０Ａが形成されている。
尚、この切欠部６０Ａの前側側端面部は、第２の樋板５２の後側端面部から後球出口５６の上下方向の略中央部まで下方に切り欠かれて形成されているが、これに限らず、該第２の樋板５２の後側端面部よりパチンコ球の半径寸法（約５．５ｍｍ）以内の幅寸法だけ前側方向に入った該第２の樋板５２の下端面部の位置から後球出口５６の上下方向の略中央部まで下方に切り欠かいて形成してもよい。これにより、切欠部６０Ａの前後方向の幅寸法をパチンコ球の半径寸法（約５．５ｍｍ）以内の寸法だけ大きくすることができ、賞球排出口６２の前後方向（図７中、左右方向）の幅寸法を大きくすることが可能となる。
【００３３】
また、払出停留部５４の底壁板５９の外側端縁部に連接された状態で、該底壁板５９と同じ幅寸法で内方に前下り状に傾斜する天井壁板６３が立設されている。また、第２の樋板５２の下端縁部に連接された状態で、該第２の樋板５２と同じ幅寸法で略円弧状に外側方向（図６中、右側方向）に湾曲しつつ、払出停留部５４の底壁板５９よりも下方まで第３の樋板６４が立設されている。また、この第３の樋板６４の下端縁部に連接された状態で、該第３の樋板６４と同じ幅寸法で内方に前下り状に傾斜する第４の樋板６５が立設されている。
【００３４】
また、図７及び図８に示すように、賞球通路カバー部材４９は、奥側側壁部５８の切欠部５８Ａの上端面部から外側側壁部６０の切欠部６０Ａまでの左右幅寸法で該奥側側壁部５８の後側端縁部まで略水平後側方向に延出される天井部４９Ａから構成されている。また、該天井部４９Ａの外側端縁部に連接された状態で第３の樋板６４に対向するように略円弧状に外側方向（図８中、右側方向）に湾曲しつつ、払出停留部５４の底壁板５９よりも下方まで、該天井部４９Ａと同じ幅寸法で略水平後側方向に延出される外方側側壁部４９Ｂから構成されている。また、この天井部４９Ａ及び外方側側壁部４９Ｂの後側端縁部から略垂直下方に延出されると共に、下端縁部が前側方向に前下り状に傾斜して第４の樋板６５に達する後側壁面部４９Ｃから構成されている。また、この後側壁面部４９Ｃの内方側端縁部から奥側側壁部５８の下端面まで延出される内方側側壁部４９Ｄから構成されている。また、第１の樋板５１、第２の樋板５２、第３の樋板６４、第４の樋板６５等の後側端面部を覆う平板部４９Ｅから構成されている。
【００３５】
これにより、前側壁面部６６、天井壁板５７、奥側側壁部５８、底壁板５９、外側側壁部６０、賞球通路カバー部材４９の平板部４９Ｅ、賞球通路カバー部材４９の天井部４９Ａ、前側壁面部６６、及び賞球通路カバー部材４９の後側壁面部４９Ｃによって略箱体状の払出停留部５４が構成される。
また、天井壁板５７、前側壁面部６６、外側側壁部６０、及び賞球通路カバー部材４９の平板部４９Ｅによって第１賞球誘導通路部５３の流出側端縁部５３Ａに連通し、該流出側端縁部５３Ａとほぼ同じ正面視略四角形状の貫通孔６１が形成される。この貫通孔６１は底壁板５９から約３０ｍｍの高さの位置に形成されている。
【００３６】
また、外側側壁部６０の切欠部６０Ａ、賞球通路カバー部材４９の天井部４９Ａ、及び賞球通路カバー部材４９の後側壁面部４９Ｃによって高さ寸法がパチンコ球の直径寸法の２倍以上（第１実施形態では、約２２ｍｍ以上）で、上記貫通孔６１とほぼ同じ前後方向の幅寸法の略四角形の賞球排出口６２が形成される。
尚、底壁板５９、賞球通路カバー部材４９の天井部４９Ａ、及び賞球通路カバー部材４９の後側壁面部４９Ｃを後側方向に所定長さ延出することによって、この賞球排出口６２の前後方向の幅寸法を上記貫通孔６１の前後方向の幅寸法の２倍以上に形成してもよい。これにより、この賞球排出口６２から更に容易にパチンコ球を排出することができる。
【００３７】
また、第２の樋板５２の流出側端縁部、外側側壁部６０、天井壁板６３、第３の樋板６４、第４の樋板６５、賞球通路カバー部材４９の外方側側壁部４９Ｂ、及び賞球通路カバー部材４９の後側壁面部４９Ｃによって第２賞球誘導通路部５５が形成される。これにより、払出停留部５４の賞球排出口６２は、この第２賞球誘導通路部５５の賞球流入部５５Ａに連通し、該賞球排出口６２から溢れた賞球は、第２賞球誘導通路部５５を経て下皿排出路２７に案内される。
【００３８】
次に、このように構成された機構セット盤２０を取り付けた場合に、賞球払い出し時の賞球案内通路部４１における賞球の転動落下状態の一例を図６乃至図８に基づいて説明する。
図６乃至図８に示すように、賞球ケース１０から払い出された賞球Ｐ１は、第１賞球誘導通路部５３を下方に転動落下後、下端部で略直角内側方向（矢印Ａ１方向）に方向転換し、該第１賞球誘導通路部５３の流出側端縁部５３Ａから貫通孔６１を経て（矢印Ａ２方向へ）放物線状に落下する。そして、払出停留部５４の底壁板５９上に賞球が無い場合には、該底壁板５９に当たって内側方向（矢印Ａ３方向）へ跳ね返って奥側側壁部５８に当たり、再度外側方向（矢印Ａ４方向）に跳ね返る。ここで、奥側側壁部５８は、後球出口５６の内方側側端縁部５６Ａよりも所定距離寸法（第１実施形態では、パチンコ球の半径寸法（約５．５ｍｍ）以上の距離寸法である。望ましくは、パチンコ球の直径の約１．５〜２倍以上（約１６．５ｍｍ〜２２ｍｍ以上）の距離寸法である。）内側の位置に立設されているため、確実に最初に落下した位置よりも内側（第１実施形態では、パチンコ球の半径寸法（約５．５ｍｍ）以上内側の位置で、望ましくは、パチンコ球の直径の約１．５〜２倍以上（約１６．５ｍｍ〜２２ｍｍ以上）の距離寸法内側の位置である。）に落下して、後球出口５６方向（矢印Ａ５方向）へ流出する。
また、図８に示すように、払出停留部５４内に落下した賞球Ｐ１は、奥側側壁部５８に当たって矢印Ａ４方向に跳ね返って底壁板５９に落下後、更に底壁板５９に当たって矢印Ａ６方向に跳ね返っても外側側壁部６０に当たるため、確実に払出停留部５４内（矢印Ａ７方向）に落下して、後球出口５６方向（矢印Ａ８方向）へ流出する。
【００３９】
また、図６乃至図８に示すように、払出停留部５４の底壁板５９上に賞球が充満している場合には（図６乃至図８中、点線丸で示した状態の場合には）、該底壁板５９上の賞球Ｐ１は、外側側壁部６０及び奥側側壁部５８の内側面に沿って底壁板５９上を後側方向に転動し、払出停留部５４の後側端面部を形成する賞球通路カバー部材４９の後側壁面部４９Ｃの内側面に当接する。そして、更に賞球が底壁板５９上に供給された場合には、外側側壁部６０の後側上方角部に形成される賞球排出口６２から第２賞球誘導通路部５５の賞球流入部５５Ａ（矢印Ｂ１方向）に流入する。そして、この賞球流入部５５Ａに流入した賞球は、賞球通路カバー部材４９の外側側壁部４９Ｂに当たって、該外側側壁部４９Ｂ上を転動して賞球通路カバー部材４９の後側壁面部４９Ｃの内側面下端縁部を経て第３の樋板６４及び第４の樋板６５上を転動し、第２賞球誘導通路部５５内を内側方向（矢印Ｂ２、Ｂ３、Ｂ４方向）に転動落下して下皿排出路２７内に転動落下する。
【００４０】
ここで、上皿１１は、上側球貯留部材として機能する。また、下皿１４は、下側球貯留部材として機能する。また、賞球タンク２１、タンクレール２３、賞球案内部２４及び賞球ケース１０は、賞球払出手段を構成する。また、機構セット盤２０は、機構セット部材として機能する。また、後球出口５６は、第１貫通孔として機能する。また、外側側壁部６０は、一側の側壁部として機能する。また、奥側側壁部５８は、他側の側壁部として機能する。また、貫通孔６１は、第２貫通孔として機能する。また、賞球排出口６２は、第３貫通孔として機能する。また、底壁板５９は、底面部として機能する。
【００４１】
従って、第１実施形態に係るパチンコ機１では、払出停留部５４に賞球ケース１０から払い出された賞球が充満していない場合には、第１賞球誘導通路部５３の流出側端縁部５３Ａから貫通孔６１を通過して、この払出停留部５４に落下した賞球は、奥側側壁部５８で跳ね返って、更に底壁板５９で跳ね返っても、外側側壁部６０に当たって払出停留部５４内に跳ね返るため、賞球ケース１０から払い出された賞球を後球出口５６を介して確実に上皿１１に供給することができ、遊技者の遊技への集中を妨げることがなく、興趣を維持することが可能となる。また、上皿１１内のパチンコ球が少ない場合にも、払い出された賞球を該上皿１１に円滑に供給することができ、入賞チャンスを確実に獲得することができる。
一方、払出停留部５４に賞球が充満した場合には、賞球排出口６２から溢れた賞球は、第２賞球誘導通路部５５、下皿排出路２７及び下部受皿ボックス２８を経て下皿１４に放出されるため、払出停留部５４での球詰まりを防止して遊技の中断を確実に防止でき、遊技者の遊技への集中を妨げることがなく、興趣を維持することが可能となる。
【００４２】
また、払出停留部５４の奥側側壁部５８は、後球出口５６の内方側側端縁部５６Ａよりも所定距離寸法（第１実施形態では、パチンコ球の半径寸法以上（約５．５ｍｍ以上）の距離寸法である。望ましくは、パチンコ球の直径の約１．５〜２倍以上（約１６．５ｍｍ〜２２ｍｍ以上）の距離寸法である。）内側方向の位置に設けられている。これにより、払出停留部５４内に落下して、この払出停留部５４の底壁板５９で跳ね返って、さらに奥側側壁部５８で跳ね返って落下する賞球の移動可能距離は、確実にパチンコ球の直径寸法（約１１ｍｍ）以上（望ましくは、パチンコ球の直径寸法の約３倍以上（約３３ｍｍ以上））延長されるため、この跳ね返ってきた賞球が外側側壁部６０の内側面に当たる衝撃力を確実に弱めることができ、払い出された賞球を迅速に上皿１１内に供給することができ、遊技者の遊技への集中を妨げることがなく、興趣を維持することが可能となる。また、上皿１１内のパチンコ球が少ない場合において、払い出された賞球を該上皿１１に迅速に供給することができ、入賞チャンスをより確実に獲得することができる。
【００４３】
さらに、払出停留部５４は、底壁板５９が後球出口５６の下端縁部に沿って該後球出口５６の外方側側端縁部５６Ｂまで前下り状に傾斜すると共に、後球出口５６側方向に前下り状に傾斜するように形成されると共に、この底壁板５９の外側端縁部から略垂直上方向に外側側壁部６０が立設されている。これにより、払出停留部５４の底壁板５９上にある賞球は、この底壁板５９上を外側側壁部６０方向に転動しつつ確実に後球出口５６に流入するため、第１賞球誘導通路部５３の流出側端縁部５３Ａから払出停留部５４内に落下した賞球を確実に上皿１１に供給することができる。
【実施例２】
【００４４】
次に、第２実施形態に係るパチンコ機について図９乃至図１６に基づいて説明する。尚、上記第１実施形態に係るパチンコ機１と同一符号は、上記第１実施形態に係るパチンコ機１と同一あるいは相当部分を示すものである。
この第２実施形態に係るパチンコ機の概略構成は、第１実施形態に係るパチンコ機１の構成とほぼ同じ構成である。但し、第２実施形態に係るパチンコ機の機構セット盤の賞球案内通路部の構成は、後述のように第１実施形態に係るパチンコ機１の機構セット盤２０の賞球案内通路部４１の構成と異なっている。
【００４５】
ここで、第２実施形態に係るパチンコ機の機構セット盤の賞球案内通路部の概略構成について図９乃至図１６に基づいて説明する。
図９乃至図１２に示すように、第２実施形態に係るパチンコ機の機構セット盤７０の賞球案内通路部７１の構成は、第１実施形態に係るパチンコ機１の賞球案内通路部４１の構成とほぼ同じ構成である。但し、賞球案内通路部７１及び球抜き通路部４２を覆い、該賞球案内通路部７１及び球抜き通路部４２と協働して賞球が流れる通路を形成する賞球通路カバー部材６９がネジ止めされて取り付けられている。
【００４６】
また、図１３乃至図１６に示すように、賞球案内通路部７１は、賞球ケース１０の球出口から下方に連接されて、パチンコ球の直径寸法よりも少し大きい間隔で上部が正面視略垂直状で中央部及び下部が正面視略Ｓ字状に立設される第１の樋板５１と第２の樋板５２とから構成される第１賞球誘導通路部５３と、この第１賞球誘導通路部５３の流出側端縁部５３Ａに貫通孔７４を介して連通する正面視略四角形の略箱体状の払出停留部７２と、この払出停留部７２の遊技機の裏面側方向の後端縁部に形成される賞球排出孔７５に連通されて、内方側（図１６中、下側方向）及び遊技機の前面側方向（図１６中、左側方向）に前下り状に傾斜して設けられる第３賞球誘導通路部７６と、この第３賞球誘導通路部７６に連通されて、内方へ前下り状に傾斜して設けられて下皿排出路２７に連接される第２賞球誘導通路部７７と、から構成されている。
【００４７】
この払出停留部７２は、第１の樋板５１の下端縁部に連接されると共に、該第１の樋板５１の前後方向幅寸法（図１５中、左右方向幅寸法）と同じ前後方向幅寸法（図１５中、左右方向幅寸法）で、前側壁面部６６に正面視略四角形（第２実施形態では、縦寸法約２３ｍｍ、横寸法約５０ｍｍ〜７０ｍｍの略四角形である。）に穿設されて上皿１１の賞球入口部に連通する後球出口５６の内方側側端縁部５６Ａに対して所定距離寸法（第２実施形態では、パチンコ球の半径寸法以上の距離寸法である。望ましくは、パチンコ球の直径の約１．５〜２倍以上の距離寸法で、一般にパチンコ球の直径寸法は約１１ｍｍであることから、約１６．５ｍｍ〜２２ｍｍ以上の距離寸法が望ましい。）を形成するように内側方向まで少し前下がり状に傾斜して立設される天井壁板５７から構成されている。また、該天井壁板５７の内方側端縁部に連接されて、該天井壁板５７の前後方向幅寸法（図１５中、左右方向幅寸法）の約２倍の幅寸法で後球出口５６の下端縁部とほぼ同じ高さまで下方に立設される奥側側壁部８０から構成されている。また、この奥側側壁部８０の後側上方角部は、天井壁板５７の後側端縁部から流出側端縁部５３Ａの第２の樋板５２の端縁部に対向する高さまで略四角形状に切り欠かれる切欠部８０Ａが形成されている。
【００４８】
また、この奥側側壁部８０の下端縁部に連接された状態で、後球出口５６の下端縁部に沿って該後球出口５６の外方側側端縁部５６Ｂまで前下り状に傾斜すると共に、後球出口５６側方向（図１４中、紙面に垂直裏側方向）に前下り状に傾斜するように立設される底壁板８１から構成されている。また、この底壁板８１の後側端縁部には、該底壁板８１の後側端縁部の左右方向全幅に渡って所定高さ（第２実施形態では、底壁板８１の表面部からパチンコ球の直径寸法にほぼ等しい、約１１ｍｍの高さ寸法の位置である。）まで上方向に立設される球留めリブ部８２が設けられている。
更に、流出側端縁部５３Ａの第２の樋板５２の端縁部に接続されると共に、該第２の樋板５２の前後方向幅寸法（図１５中、左右方向幅寸法）と同じ前後方向幅寸法（図１５中、左右方向幅寸法）で、底壁板８１の外方側端縁部が内側面に略垂直に連接されるように下方に立設されて、第４の樋板６５の上面部に下端縁部が接続される外側側壁部８３から構成されている。
【００４９】
また、第２の樋板５２の下部の略直角内側方向に折れ曲がった部分の下端面に接続された状態で、該第２の樋板５２と同じ幅寸法で略Ｓ字状に湾曲しつつ、払出停留部５４の底壁板８１よりも下方まで立設される第６の樋板８５が立設されている。また、この第６の樋板８５の下端縁部は、外側側壁部８３の下端縁部と第４の樋板６５との接続部に連接されている。
【００５０】
また、図１０、図１１、図１５及び図１６に示すように、賞球通路カバー部材６９は、奥側側壁部８０の切欠部８０Ａの上端面部から外側側壁部８３までの左右幅寸法で、遊技機の裏面側方向に天井壁板５７の前後方向幅寸法（図１５中、左右方向幅寸法）の約２倍の前後方向幅寸法（図１５中、左右方向幅寸法）になるように略水平後側方向に延出される天井部６９Ａから構成されている。また、該天井部６９Ａの外側端縁部（図１０中、右端縁部）に連接された状態で、前側側端縁部が外側側壁部８３に対向しつつ、略直角下側方向に第４の樋板６５に対向する高さまで延出されると共に、後側側端縁部が底壁板８１より所定高さ寸法以上（第２実施形態では、パチンコ球の直径寸法約１１ｍｍにほぼ等しい高さ寸法以上）下側の位置まで下方に延出される外方側側壁部６９Ｂから構成されている。また、この天井部６９Ａの左右方向全幅（図１０中、左右方向全幅）に渡って、該天井部６９Ａの後側端縁部から外側側壁部６９Ｂの後側側端縁部の下端部まで略直角下側方向に延出される後側壁面部６９Ｃから構成されている。また、この後側壁面部６９Ｃの左右方向全幅（図１０中、左右方向全幅）に渡って、該後側壁面部６９Ｃの下端縁部から第４の樋板６５の後側側面部に当接するように前側方向（図１５中、左側方向）に前下り状に傾斜して延出される底面部６９Ｄから構成されている。また、後側壁面部６９Ｃ及び底面部６９Ｄの各内方側側端縁部（図１０中、左側側端縁部）から略直角内側方向（図１１中、略直角左側方向及び略直角上側方向）に延出されて、奥側側壁部８０の後側側端縁部及び下側側端縁部に当接される内方側壁部６９Ｅから構成されている。また、第１の樋板５１、第２の樋板５２、第６の樋板８５、第４の樋板６５等の後側端面部を覆う平板部６９Ｆから構成されている。
【００５１】
これにより、前側壁面部６６、天井壁板５７、奥側側壁部８０、底壁板８１、球留めリブ部８２、外側側壁部８３、賞球通路カバー部材６９の平板部６９Ｆ、天井部６９Ａ、外方側壁部６９Ｂ、後側壁面部６９Ｃ、及び内方側壁部６９Ｅによって略箱体状の払出停留部７２が構成される。
また、天井壁板５７、前側壁面部６６、外側側壁部８３、及び賞球通路カバー部材６９の平板部６９Ｆによって第１賞球誘導通路部５３の流出側端縁部５３Ａに連通し、該流出側端縁部５３Ａとほぼ同じ正面視略四角形状の貫通孔７４が形成される。この貫通孔７４は底壁板８１から約３０ｍｍの高さの位置に形成されている。
【００５２】
また、球留めリブ部８２、賞球通路カバー部材６９の外方側壁部６９Ｂ、後側壁面部６９Ｃ、及び内方側壁部６９Ｅによって賞球排出孔７５が構成される。この賞球排出孔７５の前後方向幅寸法（図１６中、左右方向幅寸法）は、パチンコ球の直径寸法（約１１ｍｍ）より少し大きくなるように形成されている。尚、賞球排出孔７５の前後方向幅寸法は、パチンコ球の直径寸法の２倍以上（第２実施形態では、約２２ｍｍ以上）が望ましい。これにより、この賞球排出孔７５から更に容易にパチンコ球を排出することができる。
また、底壁板８１の底面部、賞球通路カバー部材６９の外方側壁部６９Ｂ、後側壁面部６９Ｃ、底面部６９Ｄ、及び内方側壁部６９Ｅによって、賞球排出孔７５と第２賞球誘導通路部７７とを連通する第３賞球誘導通路部７６が構成される。
また、前側壁面部６６、底壁板８１の下側面、外側壁面部８３の内側面、及び第４の樋板６５によって第２賞球誘導通路部７７が形成される。これにより、払出停留部７２の賞球排出孔７５は、第３賞球誘導通路部７６及び第２賞球誘導通路部７７を介して下皿排出路２７に連通し、球留めリブ部８２を越えて遊技機の裏面側方向に溢れた賞球は、該賞球排出孔７５、第３賞球誘導通路部７６及び第２賞球誘導通路部７７を経て下皿排出路２７に案内される。
【００５３】
次に、このように構成された機構セット盤７０を取り付けた場合に、賞球払い出し時の賞球案内通路部７１における賞球の転動落下状態の一例を図１４乃至図１６に基づいて説明する。
図１４乃至図１６に示すように、賞球ケース１０から払い出された賞球Ｑ１は、第１賞球誘導通路部５３を下方に転動落下後、下端部で略直角内側方向（矢印Ｃ１方向）に方向転換し、該第１賞球誘導通路部５３の流出側端縁部５３Ａから貫通孔７４を経て（矢印Ｃ２方向へ）放物線状に落下する。そして、払出停留部７２の底壁板８１上に賞球が無い場合には、該底壁板８１に当たって内側方向（矢印Ｃ３方向）へ跳ね返って奥側側壁部８０に当たり、再度外側方向（矢印Ｃ４方向）に跳ね返る。ここで、奥側側壁部８０は、後球出口５６の内方側側端縁部５６Ａよりも所定距離寸法（第２実施形態では、パチンコ球の半径寸法（約５．５ｍｍ）以上の距離寸法である。望ましくは、パチンコ球の直径の約１．５〜２倍以上（約１６．５ｍｍ〜２２ｍｍ以上）の距離寸法である。）内側の位置に立設されているため、確実に最初に落下した位置よりも内側（第２実施形態では、パチンコ球の半径寸法（約５．５ｍｍ）以上内側の位置で、望ましくは、パチンコ球の直径の約１．５〜２倍以上（約１６．５ｍｍ〜２２ｍｍ以上）の距離寸法内側の位置である。）に落下して、後球出口５６方向（矢印Ｃ５方向）へ流出する。
また、図１４に示すように、払出停留部７２内に落下した賞球Ｑ１は、奥側側壁部８０に当たって矢印Ｃ４方向に跳ね返って底壁板８１に落下後、更に底壁板８１に当たって矢印Ｃ７方向に跳ね返っても外側側壁部８３又は賞球通路カバー部材６９の外方側壁部６９Ｂに当たるため、確実に払出停留部７２内（矢印Ｃ８方向）に落下して、後球出口５６方向（矢印Ｃ９方向）へ流出する。
【００５４】
また、図１４乃至図１６に示すように、払出停留部７２の底壁板８１上に賞球が充満している場合には（図１４乃至図１６中、点線丸で示した状態の場合には）、該底壁板８１上の賞球Ｑ１は、賞球通路カバー部材６９の外方側壁部６９Ｂ及び奥側側壁部８０の内側面に沿って底壁板８１上を後側方向に転動し、底壁板８１の後端縁部に立設される球留めリブ部８２の内側面に当接する。そして、更に賞球が底壁板８１上に供給された場合には、この球留めリブ部８２を越えて、該球留めリブ部８２の後側に形成される賞球排出孔７５内（矢印Ｄ１方向）に流入する。そして、この賞球排出孔７５に流入した賞球は、第３賞球誘導通路部７６を構成する賞球通路カバー部材６９の底面部６９Ｄに当たって、該底面部６９Ｄ上を転動して第２賞球誘導通路部７７内に流入し（矢印Ｄ２、Ｄ３方向）、該第２賞球誘導通路部７７内を内側方向（矢印Ｄ４、Ｄ５方向）に転動落下して下皿排出路２７内に転動落下する。
【００５５】
ここで、上皿１１は、上側球貯留部材として機能する。また、下皿１４は、下側球貯留部材として機能する。また、賞球タンク２１、タンクレール２３、賞球案内部２４及び賞球ケース１０は、賞球払出手段を構成する。また、機構セット盤７０は、機構セット部材として機能する。また、後球出口５６は、第１貫通孔として機能する。また、外側側壁部８３及び外方側壁部６９Ｂは、一側の側壁部を構成する。また、奥側側壁部８０は、他側の側壁部として機能する。また、貫通孔７４は、第２貫通孔として機能する。また、賞球排出孔７５は、第４貫通孔として機能する。また、底壁板８１は、底面部として機能する。また、球留めリブ部８２は、リブ部として機能する。
【００５６】
従って、第２実施形態に係るパチンコ機では、払出停留部７２に賞球ケース１０から払い出された賞球が充満していない場合には、第１賞球誘導通路部５３の流出側端縁部５３Ａから貫通孔７４を通過して、この払出停留部７２に落下した賞球は、奥側側壁部８０で跳ね返って、更に底壁板８１で跳ね返っても外側側壁部８３又は賞球通路カバー部材６９の外方側壁部６９Ｂに当たって払出停留部７２の底壁板８１上に跳ね返るため、賞球ケース１０から払い出された賞球を後球出口５６を介して確実に上皿１１に供給することができ、遊技者の遊技への集中を妨げることがなく、興趣を維持することが可能となる。また、上皿１１内のパチンコ球が少ない場合にも、払い出された賞球を該上皿１１に円滑に供給することができ、入賞チャンスを確実に獲得することができる。
一方、払出停留部７２に賞球が充満した場合には、底壁板８１の後側端縁部に立設される球留めリブ部８２を越えて溢れた賞球は、賞球排出孔７５内に流入し、第３賞球誘導通路部７６、第２賞球誘導通路部７７、下皿排出路２７及び下部受皿ボックス２８を経て下皿１４に放出されるため、払出停留部７２での球詰まりを防止して遊技の中断を確実に防止でき、遊技者の遊技への集中を妨げることがなく、興趣を維持することが可能となる。
【００５７】
また、払出停留部７２の奥側側壁部８０は、後球出口５６の内方側側端縁部５６Ａよりも所定距離寸法（第２実施形態では、パチンコ球の半径寸法以上（約５．５ｍｍ以上）の距離寸法である。望ましくは、パチンコ球の直径の約１．５〜２倍以上（約１６．５ｍｍ〜２２ｍｍ以上）の距離寸法である。）内側方向の位置に設けられている。これにより、払出停留部７２内に落下して、この払出停留部７２の底壁板８１で跳ね返って、さらに奥側側壁部８０で跳ね返って落下する賞球の移動可能距離は、確実にパチンコ球の直径寸法（約１１ｍｍ）以上（望ましくは、パチンコ球の直径寸法の約３倍以上（約３３ｍｍ以上））延長されるため、この跳ね返ってきた賞球が外側側壁部８３又は賞球通路カバー部材６９の外方側壁部６９Ｂの内側面に当たる衝撃力を確実に弱めることができ、払い出された賞球を迅速に上皿１１内に供給することができ、遊技者の遊技への集中を妨げることがなく、興趣を維持することが可能となる。また、上皿１１内のパチンコ球が少ない場合において、払い出された賞球を該上皿１１に迅速に供給することができ、入賞チャンスをより確実に獲得することができる。
【００５８】
さらに、払出停留部７２は、底壁板８１が後球出口５６の下端縁部に沿って該後球出口５６の外方側側端縁部５６Ｂまで前下り状に傾斜すると共に、後球出口５６側方向に前下り状に傾斜するように形成されると共に、この底壁板８１の外側端縁部は、外側側壁部８３又は賞球通路カバー部材６９の外方側壁部６９Ｂの内側面に対して略垂直に接続されている。これにより、払出停留部７２の底壁板８１上にある賞球は、この底壁板８１上を外側側壁部８３方向に転動しつつ確実に後球出口５６に流入するため、第１賞球誘導通路部５３の流出側端縁部５３Ａから払出停留部７２内に落下した賞球を確実に上皿１１に供給することができる。
【００５９】
尚、本発明は、前記第１実施形態及び第２実施形態に限定されるものではなく、本発明の要旨を逸脱しない範囲内で種々の改良、変形が可能であることは勿論である。
【産業上の利用可能性】
【００６０】
本発明は、パチンコ遊技機、回動式遊技機、じゃん球遊技機など、入賞により所定個数の賞球が払い出される遊技機に適用できる。
【図面の簡単な説明】
【００６１】
【図１】第１実施形態に係るパチンコ機全体を示した背面図である。
【図２】第１実施形態に係るパチンコ機全体を示した側面図である。
【図３】第１実施形態に係るパチンコ機の機構セット盤に賞球タンク等を取り付けた状態を示す正面図である。
【図４】第１実施形態に係るパチンコ機の機構セット盤から賞球タンクやタンクレール等を取り除くと共に、賞球通路カバー部材を取り除いた状態を示す正面図である。
【図５】第１実施形態に係るパチンコ機の機構セット盤から賞球通路カバー部材を取り除いた状態の賞球案内通路部を示す要部拡大斜視図である。
【図６】第１実施形態に係るパチンコ機の機構セット盤から賞球通路カバー部材を取り除いた状態の賞球案内通路部及び該賞球案内通路部での賞球の転動落下状態の一例を模式的に示す要部拡大正面図である。
【図７】図６に示す一点鎖線のＸ１−Ｘ１矢視方向から見た賞球通路カバー部材を取り付けた状態における賞球案内通路部及び払出停留部での賞球の転動落下状態の一例を模式的に示す要部拡大部分断面図である。
【図８】第１実施形態に係るパチンコ機の機構セット盤の払出停留部及び該払出停留部での賞球の転動落下状態の一例の構成を模式的に示す要部拡大斜視図である。
【図９】第２実施形態に係るパチンコ機の機構セット盤に賞球タンク等を取り付けた状態を示す正面図である。
【図１０】第２実施形態に係るパチンコ機の機構セット盤に賞球通路カバー部材を取り付けた状態を示す要部拡大正面図である。
【図１１】図１０のＡ方向矢視図である。
【図１２】第２実施形態に係るパチンコ機の機構セット盤から賞球タンクやタンクレール等を取り除くと共に、賞球通路カバー部材を取り除いた状態を示す正面図である。
【図１３】第２実施形態に係るパチンコ機の機構セット盤から賞球通路カバー部材を取り除いた状態の賞球案内通路部を示す要部拡大斜視図である。
【図１４】第２実施形態に係るパチンコ機の機構セット盤から賞球通路カバー部材を取り除いた状態の賞球案内通路部及び該賞球案内通路部での賞球の転動落下状態の一例を模式的に示す要部拡大正面図である。
【図１５】図１４に示す一点鎖線のＸ２−Ｘ２矢視方向から見た賞球通路カバー部材を取り付けた状態における賞球案内通路部及び払出停留部での賞球の転動落下状態の一例を模式的に示す要部拡大部分断面図である。
【図１６】図１５に示す一点鎖線のＸ３−Ｘ３矢視方向から見た賞球通路カバー部材を取り付けた状態における払出停留部での賞球の転動落下状態の一例を模式的に示す要部拡大部分断面図である。
【符号の説明】
【００６２】
１                                  パチンコ機
１０                                賞球ケース
１１                                上皿（上側球貯留部材）
１４                                下皿
２０、７０                          機構セット盤
４１、７１                          賞球案内通路部
４２                                球抜き通路部
４９、６９                          賞球通路カバー部材
５３                                第１賞球誘導通路部
５３Ａ                              流出側端縁部
５４、７２                          払出停留部
５５、７７                          第２賞球誘導通路部
５６                                後球出口（第１貫通孔）
５６Ａ                              内方側側端縁部
５６Ｂ                              外方側側端縁部
５７                                天井壁板
５８、８０                          奥側側壁部
５９、８１                          底壁板
６０、８３                          外側側壁部
６２                                賞球排出口
７５                                賞球排出孔
７６                                第３賞球誘導通路部
８２                                球留めリブ部
【図１】
2005040388.tif 000003
【図２】
2005040388.tif 000004
【図３】
2005040388.tif 000005
【図４】
2005040388.tif 000006
【図５】
2005040388.tif 000007
【図６】
2005040388.tif 000008
【図７】
2005040388.tif 000009
【図８】
2005040388.tif 000010
【図９】
2005040388.tif 000011
【図１０】
2005040388.tif 000012
【図１１】
2005040388.tif 000013
【図１２】
2005040388.tif 000014
【図１３】
2005040388.tif 000015
【図１４】
2005040388.tif 000016
【図１５】
2005040388.tif 000017
【図１６】
2005040388.tif 000018